(57)【要約】      （修正有）【課題】ワイシャツの袖口に取付け、開閉が楽であり外観のよいカフスボタンを提供する。【解決手段】カフスボタンは互いに対を成して袖口生地１３を挟み込むスナップ凹ボタン１１ａと飾りボタン１２及びスナップ凸ボタン１１ｂと表ボタン１４で構成し、上記飾りボタン１２及び表ボタン１４は袖口生地１３の表面側に配置され、スナップ凹ボタン１１ａ及びスナップ凸ボタン１１ｂは袖口生地１３の内面側に配置され、上記スナップ凹ボタン１１ａとスナップ凸ボタン１１ｂは互いに噛み合って結合することが出来るようにしている。【選択図】図６
0003198924.tif 000002
【実用新案登録請求の範囲】
【請求項１】
ワイシャツの袖口に取付けたカフスボタンにおいて、カフスボタンは互いに対を成して袖口生地を挟み込むスナップ凹ボタンと飾りボタン及びスナップ凸ボタンと表ボタンで構成し、上記飾りボタン及び表ボタンは袖口生地の表面側に配置され、スナップ凹ボタン及びスナップ凸ボタンは袖口生地の内面側に配置され、上記スナップ凹ボタンとスナップ凸ボタンは互いに噛み合って結合することが出来るようにしたことを特徴とするカフスボタン。
【請求項２】
上記飾りボタンをスナップ凸ボタンと組み合わせ、表ボタンをスナップ凹ボタンと組み合わせた請求項１記載のカフスボタン。
【請求項３】
上記スナップ凹ボタンとスナップ凸ボタンが互いに引き合って結合するように磁石を取付けた請求項１記載のカフスボタン。
【請求項４】
上記飾りボタン及び表ボタンを袖口生地を挟み込んで糸で縫付けるにおいて、複数の糸穴を設け、この糸穴をカバーするように表面には飾りカバー及び表カバーを嵌着した請求項１、請求項２、又は請求項３記載のカフスボタン。
【請求項５】
ワイシャツにおいて、正面の下側前立て及び上側前立てには互いに係合するファスナーをそれぞれ取付けると共にファスナーに沿って移動するスライダーを設け、そして、上側前立ての表面には複数の飾り用のボタンを等間隔で取付け、袖口部に形成した切込みにもファスナーを取付け、そして袖口にはカフスボタンを取付けたもので、カフスボタンは互いに対を成して袖口生地を挟み込むスナップ凹ボタンと飾りボタン及びスナップ凸ボタンと表ボタンで構成し、上記飾りボタン及び表ボタンは袖口生地の表面側に配置され、スナップ凹ボタン及びスナップ凸ボタンは袖口生地の内面側に配置され、上記スナップ凹ボタンとスナップ凸ボタンは互いに噛み合って結合することが出来るようにしたことを特徴とするワイシャツ。
【考案の詳細な説明】
【技術分野】
【０００１】
本考案はワイシャツの袖口に取付けるカフスボタン、及び該カフスボタンを取付けたワイシャツに関するものである。
【背景技術】
【０００２】
カフスボタンは男性がワイシャツを着用した場合において、オシャレの１つとして袖口に取付けることが多い。しかし、このカフスボタンを取付けることの出来るのは全てのワイシャツではなく、カフスボタンを取付けることが出来る袖口形態としていることが必要である。一般的なワイシャツの袖口は片側にボタンを縫付けると共に他方には該ボタンが嵌るボタンホール（スリット穴）を形成している。
【０００３】
図７はカフスボタンを取付け出来るワイシャツの袖口（イ）を表している具体例である。このように、袖口（イ）の片側（ロ）にボタンホール（ハ）を有し、他方（ニ）にもボタンホール（ホ）を形成している。この両ボタンホール（ハ）、（ホ）を利用してカフスボタンを取付けすることが出来る。図８はカフスボタン（ヘ）を袖口（イ）に取付けた使用形態を表している。また図９は従来の一般的なカフスボタン（ヘ）を示す具体例である。
【０００４】
カフスボタン（ヘ）はボタン（ト）とボタン（ト）の背面から延びる軸（チ）を有し、そして該軸（チ）の先端部にはアーム（リ）を取付けている。アーム（リ）は回転することが出来るように軸支され、同図では軸（チ）に対してアーム（リ）は垂直方向を向いているが、９０°回転するならば軸（チ）と同じ方向を向くことが出来る。その為に、軸（チ）にはスリット溝（ヌ）が設けられ、回転したアーム（リ）の半分は該スリット溝（ヌ）に嵌ることが出来る。
【０００５】
ワイシャツの袖口（イ）にカフスボタン（ヘ）を取付ける場合には、アーム（リ）を軸（チ）と同じ方向に向けて両ボタンホール（ハ）、（ホ）に軸（チ）を挿通する。そして、ボタンホール（ハ）、（ホ）から外れ落ちないように、挿通したアーム（リ）を回転して図８に示すような軸（チ）に対して垂直方向を向ける。従って、アーム（リ）がストッパーと成ってカフスボタン（ヘ）がボタンホール（ハ）、（ホ）から外れ落ちることはない。
【０００６】
このように、カフスボタン（ヘ）はオシャレな男性に好まれているが、ワイシャツを着用して袖口（イ）にカフスボタン（ヘ）を一々取付けることは面倒である。しかも、該カフスボタン（ヘ）はワイシャツを脱ぐ際には取外して所定の箇所に保管しなくてはならない為に、紛失する場合も多い。
勿論、袖口（イ）に取付けたカフスボタン（ヘ）が何らかの原因でアーム（リ）が回転してボタンホール（ハ）、（ホ）から抜け落ちて紛失するといった場合も起きる。
【０００７】
特開２０００−２１０１０５号に係る「カフスボタン」は、ワイシャツのカフスのボタンホールから不測に抜け出るのを防止できるようにしたものである。
ボタン本体の裏面中央部に支持枠を垂設し、この支持枠の先端部にストッパーピンを、支持枠と直交する係止姿勢と支持枠に沿って平行に延びる非係止姿勢とに姿勢変更可能に枢着してなり、ストッパーピン及び支持枠をカフスのボタンホールに通した後にストッパーピンとボタン本体とをカフスの外側からつなぎ留める索条を備え、この索条の一端部をボタン本体に固着し、その他端部を着脱手段を介してストッパーピンに着脱自在に取り付けるようにしている。
【０００８】
一方、従来の一般的なワイシャツを図１０に表しているように、ワイシャツを着用する場合には正面のボタン（ル）、（ル）・・・を外し、着用した状態でボタン（ル）、（ル）・・・を再び掛けなくてはならない。すなわち、ワイシャツの正面である下側前立て（オ）には複数の上記ボタン（ル）、（ル）・・・が取付けられ、上側前立て（ワ）には複数のスリット状ボタン穴（カ）、（カ）・・・が貫通して設けられ、上記ボタン（ル）、（ル）・・・はスリット状ボタン穴（カ）、（カ）・・・に嵌められる。
この点は、袖口に設けているボタン（ル）及びボタン穴（カ）の場合も同じである。
【０００９】
ところで、上記ボタン穴（カ）はスリット状に成っている為に、小さいボタン（ル）を嵌めにくく、特に年をとって手が不自由になるとワイシャツのボタン（ル）、（ル）・・・を掛けることが容易でない。その為にボタン（ル）の１つや２つを掛け忘れるといった場合が発生する。そこで、上記ボタン（ル）の代わりにファスナーを下側前立て（オ）の表面と上側前立て（ワ）の裏面に取付けたワイシャツも知られている。
【００１０】
例えば、特開２０００−３４５４０１号に係る「面ファスナーを用いて前合わせを行うシャツ」は、高齢者や身体障害者が容易に着脱できるシャツである。
また、特開２００８−１９５４５号に係る「かぶり着するワイシャツ」は、ワイシャツ前面の表側にボタンとボタン穴かがり部とが既にボタン掛けされた姿で設けられ、このワイシャツ前面の裏側の下部分とシャツ後面の表側下部分とが縫合され、この縫合部の上から衿元までファスナーが設けられている。
【特許文献１】特開２０００−２１０１０５号に係る「カフスボタン」
【特許文献２】特開２０００−３４５４０１号に係る「面ファスナーを用いて前合わせを行うシャツ」
【特許文献３】特開２００８−１９５４５号に係る「かぶり着するワイシャツ」
【考案の開示】
【考案が解決しようとする課題】
【００１１】
このように、従来の一般的なワイシャツを着用するにはボタンを掛け、しかもカフスボタンを取付けなくてはならず面倒であり、ワイシャツを着用するに当たって上記のごとき問題がある。
本考案が解決しようとする課題はこの問題点であり、ワイシャツを簡単に着用することが出来ると共に、カフスボタンを特別に取付ける必要がないようにしたものであり、カフスボタンはワイシャツの一部として袖口に取付けられて紛失することのないようにし、そして着用する際にボタンを嵌める必要のないファスナー付きのワイシャツであるが、着用した状態での外観は従来のボタン付きワイシャツと何ら変わらないワイシャツを提供する。
【課題を解決するための手段】
【００１２】
本考案に係るカフスボタンは、スナップボタン型式で構成され、その為にスナップ凸ボタンとスナップ凹ボタンの２個が対をなしている。そこで、ワイシャツの袖口の内面側には、片側にスナップ凹ボタンを、他方にはスナップ凸ボタンをそれぞれ取付け、凹ボタンと凸ボタンが互いに噛み合うことで袖口を閉じることが出来る。
【００１３】
そして、スナップボタンはカフスボタンとして機能する為にスナップ凹ボタン又はスナップ凸ボタンの何れか一方には装飾したボタンを備え、該装飾ボタンは袖口の一方表面側に配置して取付けられる。
また、カフスボタンは互いに噛み合うスナップ凹ボタンとスナップ凸ボタンで構成することなく、互いに引き合うことが出来るように磁石を取付ける場合もある。
【００１４】
本考案のワイシャツは袖口に上記カフスボタンを取付けると共に、切込み口を閉じる為にファスナーを設けている。すなわち、ファスナーを開け閉めすることで袖口の切込み口を閉じることが出来る。
一方、ワイシャツ正面の下側前立てと上側前立てには互いに噛合うファスナーを沿設し、該ファスナーを介して正面の開閉を可能としている。しかも、上側前立ての表面には一定間隔で飾り用のボタンを取付けている。
【考案の効果】
【００１５】
本考案に係るワイシャツは、ボタンの代わりにファスナーを取付けており、その為に小さいボタンをスリット状のボタン穴に嵌める必要はなく、手が不自由になった老人であっても手軽にワイシャツの着用が出来る。
そして、ボタンが飾りとして備わっている為に、着用した状態でのワイシャツの外観が損なわれることはなく、従来のボタン付きワイシャツと同じように見える。
また、袖の先端部の切込みにもファスナーを取付けている為に、袖口の開閉も楽であり、しかも袖口には飾りとしてもカフスボタンが備わっている為に、ワイシャツの袖口がスーツの袖口からはみ出しても、何ら外観が損なわれることはない。
【００１６】
しかし、本考案のカフスボタンは袖口に取付けられてワイシャツの一部と成っている為に、ワイシャツを脱ぐ場合に一々カフスボタンを取外す必要はなく、又カフスボタンを嵌める際にも便利である。したがって、カフスボタンの紛失は生じない。
そして、カフスボタンはスナップボタン型式又は磁石によって噛合うことで、従来のカフスボタンの取付けに比べて容易である。
【図面の簡単な説明】
【００１７】
【図１】ファスナーを開いた状態の本考案のワイシャツ正面。
【図２】ファスナーを閉じた状態の本考案のワイシャツ正面。
【図３】ファスナーを取付けている袖部分の実施例。
【図４】本考案のカフスボタンを構成するスナップ凹ボタンと飾りボタン。
【図５】本考案のカフスボタンを構成するスナップ凸ボタンと表ボタン。
【図６】袖口生地を飾りボタンとスナップ凹ボタン、及び表ボタンとスナップ凸ボタンで挟み込んだ断面図。
【図７】カフスボタンを取付ける為にボタンホールを形成した従来のワイシャツの袖口。
【図８】袖口に取付けたカフスボタン。
【図９】従来の一般的なカフスボタンの具体例。
【図１０】従来の一般的なワイシャツ。
【考案を実施するための形態】
【００１８】
図１は本考案に係るワイシャツ１の正面図を示す実施例である。ワイシャツ１は前面（正面）を同図に示すように開口することが出来、その為に左右の身頃の縁部である前立てにはファスナー２ａ，２ｂを取付けている。
す  なわち、一方のファスナー２ａは下側前立て３の上面に取付けられ、他方のファスナー２ｂは上側前立て４の裏面に取付けられ、両ファスナー２ａ，２ｂは上記下側前立て３と上側前立て４に沿って裾から襟元まで沿設されている。そして、上側前立て４の表面には複数のボタン５，５・・・が取付けられ、これら各ボタン５，５・・・は一定間隔で配列している。
【００１９】
図２はボタン５，５・・・が配列している状態が分かる正面図であり、ボタン５，５・・・は上側前立て４に糸で縫い付けられている。そして、ボタン５，５・・・を取付けている上側前立て４にて上記ファスナー２ａ，２ｂは被覆され、外観は一般的なワイシャツ１と同じになる。
すなわち、ボタン５，５・・・はワイシャツ１の前面を閉じるものではなく、あくまでの飾りに過ぎない。その為に、ボタン５，５・・・がスリット状のボタン穴に嵌める必要はなく、飾りにふさわしい形態のボタン５，５・・・が使用される。
【００２０】
ワイシャツ１を着用するだけであるならば、上記ボタン５，５・・・は必要でないが、ビジネスマンが着用するワイシャツ１にはボタン付きが一般的であることから、本考案のワイシャツ１は飾りとしてのボタン５，５・・・を備えている。
図１ではスライダー６が裾まで下りてファスナー２ａ，２ｂが解除され、ワイシャツ１の前面が開口した状態であるが、スライダー６を持ち上げるならば、ファスナー２ａ，２ｂは互いに係合して前面を閉じることが出来る。
【００２１】
前面が閉じると同時に、図２に示すように上側前立て４は下側前立て３の上に重なり合って、互いに係合したファスナー２ａ，２ｂは被覆され、外からファスナー２ａ，２ｂの存在は分からなくなる。
図２に示すように、ワイシャツ１を着用した状態では、上側前立て４に取付けられているボタン５，５・・・は飾りであり、その為に該ボタン５，５・・・の大きさ並びに形態は自由である。また、従来のワイシャツのようにボタン５，５・・・がスリット状のボタン穴に掛けられているように見せる為に、ボタン穴かがり部を形成することも出来る。
【００２２】
一方、本考案のワイシャツ１は、袖７の先端部に形成している切込み縁にはファスナー８ａ，８ｂを取付けていて、袖口９を閉じる際にはファスナー８ａ，８ｂのスライダー１０を操作することが出来る。そして、袖口９にはその表面側にカフスボタンを取付け、裏面にはスナップボタン１１ａ，１１ｂを設けている。図３は袖口部分を示す本考案の具体例である。
【００２３】
図４、図５は本考案に係るカフスボタンの具体例を表している。図４はスナップ凹ボタン１１ａと対を成す飾りボタン１２を互いに分離した状態で表しており、飾りボタン１２は袖口９の表面側に配置される。この飾りボタン１２とスナップ凹ボタン１１ａとで、袖口生地１３を挟み込んで袖口９に取付けられている。
図５はスナップ凸ボタン１１ｂと対を成す表ボタン１４を互いに分離した状態で表しており、表ボタン１４は袖口９の表面に配置している。そして、この表ボタン１４とスナップ凸ボタン１１ｂとで袖口生地１３を挟み込んで袖口９に取付けられる。
【００２４】
ところで、スナップ凹ボタン１１ａ及びスナップ凸ボタン１１ｂは袖口９の内面１５に配置されている。従って、スナップ凹ボタン１１ａの凹部１６にスナップ凸ボタン１１ｂの凸部１７が嵌合することで、袖口９の両片は閉じられ、前記図８に示しているようにカフスボタンを取付けた場合と同じである。
ここで、上記飾りボタン１２はカフスボタン（ヘ）のボタン（ト）に相当するものであり、カフスボタン（ヘ）を取付けている場合と同じ外観を呈す。
【００２５】
ところで、上記スナップ凹ボタン１１ａは中央部に凹部１６を有し、スナップ凸ボタン１１ｂは中央部に凸部１７を有していて、互いに噛み合うことで結合することが出来る構造と成っている。ここで、凹部１６に嵌合した凸部１７は互いに噛み合ってボタンを嵌めるように簡単に分離しないような構造としている。
また、本考案では上記スナップ凹ボタン１１ａとスナップ凸ボタン１１ｂが互いに引き合うことが出来る磁石を取付けることも出来る。この場合、上記スナップ凹ボタン１１ａ及びスナップ凸ボタン１１ｂには小さい磁石が嵌る凹部が設けられる。
【００２６】
図６は片方の袖口生地１３を飾りボタン１２とスナップ凹ボタン１１ａで挟み込み、また他方の袖口生地１３を表ボタン１４とスナップ凸ボタン１１ｂで挟み込んだ場合の断面を表している。そこで、スナップ凹ボタン１１ａとスナップ凸ボタン１１ｂが結合するならば、袖口が閉じられる。
【００２７】
ところで、上記飾りボタン１２とスナップ凹ボタン１１ａとで袖口生地１３を挟み込んだ状態で取付けられるが、本発明では袖口生地１３に取付ける具体的な構造は限定しないことにする。
例えば、飾りボタン１２及びスナップ凹ボタン１１ａに小さい複数の糸穴を設け、この糸穴に縫糸を挿通して縫付けることが出来る。すなわち、図１０に示すボタン（ル）を縫付けると同じように、袖口生地１３に縫い付けることが出来る。この場合、縫い糸が飾りボタン１２の表面に露出しないようにしなくてはならず、また飾りボタン１２の表面に糸穴が見えてはならず、その為に該飾りボタン１２の表面をカバーする表面キャップを嵌着するように構成している。
【００２８】
すなわち、飾りボタン１２を袖口生地１３に縫い付けた後で表面キャップが嵌着される。ただし、袖口生地１３の内面に縫い付けされるスナップ凹ボタン１１ａは縫い糸が表面化しても特に問題はない。
反対側の袖口生地１３に取付ける表ボタン１４とスナップ凸ボタン１１ｂを縫付ける場合も同じように構成し、表ボタン１４の表面に表キャップを嵌着することが出来る。
【符号の説明】
【００２９】
１   ワイシャツ
２   ファスナー
３   前面下前
４   前面上前
５   ボタン
６   スライダー
７   袖
８   ファスナー
９   袖口
10   スライダー
11   スナップボタン
12    飾りボタン
13    袖口生地
14    表ボタン
15    内面
16    凹部
17    凸部
【図１】
0003198924.tif 000003
【図２】
0003198924.tif 000004
【図３】
0003198924.tif 000005
【図４】
0003198924.tif 000006
【図５】
0003198924.tif 000007
【図６】
0003198924.tif 000008
【図７】
0003198924.tif 000009
【図８】
0003198924.tif 000010
【図９】
0003198924.tif 000011
【図１０】
0003198924.tif 000012